(57)【要約】【課題】有機ＥＬ素子に電力を供給する電源バス配線の配線抵抗を低減して、輝度傾斜やスメア等の画質不艮を改善する。【解決手段】マトリクス状に配置された複数の画素２２は、電源線２３に接続され、複数の電源線２３は、電源バス配線２４に接続される。この電源バス配線２４の両端は、ＦＰＣ１６を介して、電源部２５に接続されている。この電源部２５から電源バス配線２４の両端に電力を供給することで、電源バス配線の配線抵抗を低減する。【選択図】図２
2007232795.tif 000002
【特許請求の範囲】
【請求項１】
複数の画素に電力を供給する複数の電源線と、前記複数の電源線に接続された電源バス配線と、前記電源バス配線に電力を供給する電源部とを備えた有機ＥＬ表示装置において、
前記電源バス配線の両端に、電源部からの電力を供給することを特徴とする有機ＥＬ表示装置。
【請求項２】
前記電源バス配線の両端を含む複数個所に、電源部からの電力を供給することを特徴とする請求項１に記載の有機ＥＬ表示装置。
【請求項３】
前記電源バス配線を、電源線の両端に設け、両端の電源バス配線を接続し、一端の電源バス配線の両端に、電源部からの電力を供給することを特徴とする請求項１に記載の有機ＥＬ表示装置。
【請求項４】
前記電源バス配線を、電源線の両端に設け、両端の電源バス配線を接続し、一端の電源バス配線の両端を含む複数個所に、電源部からの電力を供給することを特徴とする請求項１に記載の有機ＥＬ表示装置。
【請求項５】
前記電源バス配線を、電源線の両端に設け、各々の電源バス配線の両端に、電源部からの電力を供給することを特徴とする請求項１に記載の有機ＥＬ表示装置。
【請求項６】
前記電源バス配線を、電源線の両端に設け、各々の電源バス配線の両端を含む複数個所に、電源部からの電力を供給することを特徴とする請求項１に記載の有機ＥＬ表示装置。
【請求項７】
前記電源バス配線は、電源線の両端に接続される電源バス配線と、両端の電源バス配線を接続する電源バス配線とからなり、各々の電源バス配線の両端又は両端を含む複数個所に、電源部からの電力を供給することを特徴とする請求項１に記載の有機ＥＬ表示装置。
【発明の詳細な説明】
【技術分野】
【０００１】
本発明は、画素として有機ＥＬ素子を用いた有機ＥＬ表示装置に関し、特に、有機ＥＬ素子を発光させるための電力を供給する電源配線を改善したものである。
【背景技術】
【０００２】
有機ＥＬ素子は、電流を流して発光させる電流発光型の素子であり、有機ＥＬ素子が形成されているＴＦＴ基板内の電源配線に、数十から百ｍＡの大電流が流れる。特に、有機ＥＬ表示パネルを定電圧駆動する場合に、表示パネル入口の端子からＴＦＴ基板内の電源配線を経て各画素に電力を供給する際に、電源配線の抵抗に起因して生じる電圧降下により、輝度傾斜やスメア等の画質不艮が発生する。このためＴＦＴ基板内（表示パネル入口から各画素まで）の電源配線の抵抗を低減させることが必要である。
【０００３】
電源配線抵抗の低減について、下記特許文献１には、マトリクス状に配置された複数の有機ＥＬ素子を駆動する駆動電源線の抵抗による電圧降下を低減するために、駆動電源線の両端（及び中間）に補助電源線を接続することが記載されている。
【特許文献１】特開２００３−１０８０６８号公報
【発明の開示】
【発明が解決しようとする課題】
【０００４】
上記特許文献１においては、複数の有機ＥＬ素子に接続する駆動電源線の電圧降下を低減しているが、複数の駆動電源線に接続する補助電源線の電圧降下については考慮されていない。
【０００５】
そこで、本発明は、複数の有機ＥＬ素子に接続される電源線に電力を供給する電源バス配線の電圧降下を低減した有機ＥＬ表示装置を提供することを目的とする。
【課題を解決するための手段】
【０００６】
本発明は、複数の有機ＥＬ素子に接続する電源線と、この電源線に接続される電源バス配線とからなり、この電源バス配線の両端又は電源バス配線の両端を含む複数個所に電力を供給することを特徴とする。
【発明の効果】
【０００７】
以上、本発明によると、有機ＥＬ素子の電源線に電力を供給する電源バス配線の配線抵抗による電圧低下が低減され、電源バス配線による輝度傾斜やスメア等の画質不良を改善した有機ＥＬ表示装置が得られる。
【０００８】
本発明に係る表示装置は、ＴＶ、ＰＣモニタ、ノートＰＣ、ＰＤＡ、携帯電話、テジタルスチルカメラ、デジタルビテオカメラ、カーナビ用モニタ等に適用でき、また、他の自発光型ディスプレイにも適用可能である。
【発明を実施するための最良の形態】
【０００９】
以下、図面を用いて、本発明の実施例を説明する。
【実施例１】
【００１０】
図１は、本発明に係る有機ＥＬ表示装置の概観図であって、同図（ａ）は正面図、同図（ｂ）は断面図である。図１において、ＴＦＴ基板（表示パネル）１１には画素部１２が形成され、画素部１２は、ＴＦＴ基板１１とそれに対向する封止基板１３とシール材１４とで封止される。封止された空間には、画素部１２における有機ＥＬ素子が湿気で劣化するのを防止するために、乾燥材１５が封入されている。また、ＴＦＴ基板１１には、有機ＥＬ素子を駆動するための信号と電源部からの電力を供給するためのＦＰＣ(Flexible Printed Circuit)１６が設けられている。
【００１１】
図２は、図１に示す有機ＥＬ表示装置の駆動回路図である。図２において、表示領域２１には、有機ＥＬ素子からなる画素２２がマトリクス状に配置されている。これら複数の画素２２は、電源線２３に接続され、複数の電源線２３は、電源バス配線２４に接続される。この電源バス配線２４の両端は、ＦＰＣ１６を介して、電源部２５に接続されている。このようにして、電源部２５から電源バス配線２４の両端に供給する電力で、画素２２における有機ＥＬ素子が発光する。
【００１２】
また、マトリクス状に配置された複数の画素２２は、走査線２６とデータ線２７に接続され、走査線駆動回路２８で選択された走査線２６の走査信号と、データ線駆動回路２９に接続されているデータ線２７からのデータ信号とで駆動される。
【００１３】
表示制御部３０は、外部からの信号を受け取り、走査線駆動回路２８とデータ線駆動回路２９に、ＦＰＣ１６を介して、走査信号とデータ信号を供給すると共に、電源部２５を制御する。この電源部２５と表示制御部３０は、ＦＰＣ１６に設けるように図示されているが、必ずしもＦＰＣ１６に設ける必要はない。
【００１４】
なお、カソードコンタクト３１は、画素２２における有機ＥＬ素子の陰極に接続され、ＴＦＴ基板１１において接地されると共に、ＦＰＣ１６を介して、ＦＰＣ１６においても接地される。
【００１５】
図３は、図２に示す有機ＥＬ素子からなる画素２２の詳細図である。図３において、表示領域２１内の複数の画素２２には、走査線駆動回路２８で選択され、データ線駆動回路２９からのデータ信号を取り入れるスイッチングＴＦＴ４１と、データ信号を記憶する容量４２と、データ信号に応じて有機ＥＬ素子４３を駆動するドライバＴＦＴ４４が設けられている。電源バス配線２４の両端には電源部２５が接続されている。
【００１６】
有機ＥＬ素子４３の陽極側は、ドライバＴＦＴ４４に接続され、陰極側は、基準電位（接地電位）を保つ陰極電流線４５に接続され、この陰極電流線４５はカソードコンタクト３１に接続される。
【００１７】
本実施例では、電源バス配線２４の両端から電力を供給するから、片方の端子から供給するものに比べて、電源バス配線２４の配線抵抗による電圧降下を低減することができる。このように、電圧降下を低減することで、水平な電源バス配線２４の水平方向の輝度傾斜を低減することができる。なお、垂直な電源線２３の電圧降下による垂直方向の輝度傾斜は無視している。
【実施例２】
【００１８】
図４は、実施例１の図２に対応する有機ＥＬ表示装置の駆動回路図である。実施例１と異なる点は、電源バス配線２４の両端を含む複数個所に給電する点である。その他の構成は図２と同様であるので、詳細な説明は省略する。
【００１９】
図４において、ＦＰＣ１６側の電源部２５から電源バス配線２４の両端を含む複数個所（５箇所）に電力を供給する。このように、複数個所に給電することで、電源バス配線２４の配線抵抗が分割され、実質的な配線抵抗が減少する。
【００２０】
本実施例においては、実施例１と比べて、電源バス配線２４の配線抵抗による電圧降下がさらに減少し、輝度傾斜がさらに低減できる。
【実施例３】
【００２１】
図５は、実施例１の図２に対応する有機ＥＬ表示装置の駆動回路図である。実施例１と異なる点は、上側電源バス配線５１と左右に電源バス配線５２，５３を設けた点である。その他の構成は図２と同様であるので、詳細な説明は省略する。
【００２２】
図５において、複数の電源線２３の一方の端は、下側の電源バス配線２４に、他方の端は、上側電源バス配線５１に接続されている。また、下側の電源バス配線２４と上側電源バス配線５１は、左側電源配線バス５２と接続されている。さらに、右側電源バス配線５３を接続して、表示領域２１をこれら電源バス配線で囲むようにしてもよい。
【００２３】
ＦＰＣ１６側の電源部２５から電源バス配線２４の両端に電力が供給されると共に、左側電源配線バス５２（及び右側電源バス配線５３）を介して、上側電源バス配線５１にも電力が供給される。このように、電源線２３の両端から電力を供給することにより、電源線２３の電圧降下を低減することができる。
【００２４】
本実施例においては、電源バス配線２４の電圧降下を低減すると共に、電源線２３の電圧降下をも低減することができるので、実施例１と同様に、水平方向の輝度傾斜を低減し、さらに、電源線２３の配線抵抗による垂直方向の輝度傾斜をも低減できる。
【実施例４】
【００２５】
図６は、実施例２の図４に対応する有機ＥＬ表示装置の駆動回路図である。実施例２と異なる点は、実施例３の図５と同様に、上側電源バス配線５１と左右に電源バス配線５２，５３を設けた点である。その他の構成は図４と同様であるので、詳細な説明は省略する。
【００２６】
図６において、電源バス配線２４の両端を含む複数個所（５箇所）に、ＦＰＣ１６側の電源部２５から電力が供給され、また、左側電源バス配線５２（及び右側電源バス配線５３）を介して、上側電源バス配線５１にも電力が供給される。このように、電源線２３の両端に、電源バス配線２４と上側電源バス配線５１とから電力を供給することで、電源線２３の電圧降下を低減している。
【００２７】
本実施例においては、電源バス配線２４の電圧降下をさらに低減すると共に、電源線２３の電圧降下をも低減することができるので、実施例２と同様に、水平方向の輝度傾斜をさらに低減すると共に、電源線２３の配線抵抗による垂直方向の輝度傾斜をも低減できる。
【実施例５】
【００２８】
図７は、実施例３の図５に対応する有機ＥＬ表示装置の駆動回路図である。実施例３と異なる点は、上側電源バス配線５１の両端から電力を供給する上側ＦＰＣ７１を設けた点である。その他の構成は図５と同様であるので、詳細な説明は省略する。
【００２９】
図７において、上側ＦＰＣ７１側には、下側のＦＰＣ１６側の電源部２５と同様の電源部が設けられ、この電源部から上側電源バス配線５１の両端に電力が供給される。この上側電源バス配線５１は、下側の電源バス配線２４と同様に、配線抵抗が低減される。なお、上側電源バス配線５１と下側の電源バス配線２４を接続している左側電源バス配線５２と右側電源バス配線５２は省略してもよい。
【００３０】
本実施例においては、実施例３と比べて、水平方向の輝度傾斜をさらに低減できる。
【実施例６】
【００３１】
図８は、実施例４の図６に対応する有機ＥＬ表示装置の駆動回路図である。実施例４と異なる点は、上側電源バス配線５１の両端を含む複数個所に給電する上側ＦＰＣ７１を設けた点である。その他の構成は図６と同様であるので、詳細な説明は省略する。
【００３２】
図８において、上側ＦＰＣ７１側には、下側のＦＰＣ１６側の電源部２５と同様の電源部が設けられ、この電源部から上側電源バス配線５１の両端を含む複数個所（５箇所）に電力が供給される。この上側電源バス配線５１は、下側の電源バス配線２４と同様に、配線抵抗が減少される。
【００３３】
本実施例においては、実施例４と比べて、水平方向の輝度傾斜をさらに低減できる。
【実施例７】
【００３４】
図９は、実施例６の図８に対応する有機ＥＬ表示装置の駆動回路図である。実施例６と異なる点は、左右の電源バス配線５２，５３に左右のＦＰＣ７２，７３を設けた点である。その他の構成は図８と同様であるので、詳細な説明は省略する。
【００３５】
図９において、上側ＦＰＣ７１と左側ＦＰＣ７２（及び右側ＦＰＣ７３）には、下側のＦＰＣ１６側の電源部２５と同様の電源部が設けられ、これらの電源部から上側電源バス配線５１と左側電源バス配線５２（及び右側電源バス配線５３）の両端を含む複数個所（５箇所）に電力が供給される。これらの上側電源バス配線５１と左側電源バス配線５２（及び右側電源バス配線５３）は、下側の電源バス配線２４と同様に、配線抵抗が減少される。
【００３６】
本実施例においては、上下左右の電源バス配線の配線抵抗を減少することができるので、電源バス配線による輝度傾斜を極めて少なくすることができる。
【図面の簡単な説明】
【００３７】
【図１】本発明に係る有機ＥＬ表示装置の概観図。
【図２】図１に示す実施例１の有機ＥＬ表示装置の駆動回路図。
【図３】図２に示す有機ＥＬ素子からなる画素の詳細図。
【図４】実施例２の有機ＥＬ表示装置の駆動回路図。
【図５】実施例３の有機ＥＬ表示装置の駆動回路図。
【図６】実施例４の有機ＥＬ表示装置の駆動回路図。
【図７】実施例５の有機ＥＬ表示装置の駆動回路図。
【図８】実施例６の有機ＥＬ表示装置の駆動回路図。
【図９】実施例７の有機ＥＬ表示装置の駆動回路図。
【符号の説明】
【００３８】
１１…ＴＦＴ基板（表示パネル）、１２…画素部、１３…封止基板、１４…シール材、１５…乾燥材、１６…ＦＰＣ、２１…表示領域、２２…画素、２３…電源線、２４…電源バス配線、２５…電源部、２６…走査線、２７…データ線、２８…走査線駆動回路、２９…データ線駆動回路、３０…表示制御部、３１…カソードコンタクト、４１…スイッチングＴＦＴ、４２…容量、４３…有機ＥＬ素子、４４…ドライバＴＦＴ、４５…陰極電流線、５１…上側電源バス配線、５２…左側電源バス配線、５３…右側電源バス配線、７１…上側ＦＰＣ、７２…左側ＦＰＣ、７１…右側ＦＰＣ。
【図１】
2007232795.tif 000003
【図２】
2007232795.tif 000004
【図３】
2007232795.tif 000005
【図４】
2007232795.tif 000006
【図５】
2007232795.tif 000007
【図６】
2007232795.tif 000008
【図７】
2007232795.tif 000009
【図８】
2007232795.tif 000010
【図９】
2007232795.tif 000011